(57)【要約】【課題】埃センサの結露が解消した際に、埃センサの結露が解消したことを正確に判定できるようにする。【解決手段】埃センサ３２に結露が発生したか否かを判定し（Ｓ８０）、埃センサ３２に結露が発生したと判定された場合、埃センサ３２の周囲の空気の温度および湿度の少なくとも一方を用いて埃センサ３２に発生した結露量を推定し（Ｓ１１０）、推定した結露量に基づいて埃センサ３２に発生した結露が解消されるまでの結露解消時間を特定する（Ｓ１３０）。【選択図】図５
2019043279.tif 000002
【特許請求の範囲】
【請求項１】
光を照射する発光部（３２１）と光を受光する受光部（３２２）と、を有し、前記発光部から照射された光が空気に含まれる埃に反射した反射光を前記受光部が受光することにより空気に含まれる埃の濃度を検出する埃センサ（３２）と、
前記埃センサに結露が発生したか否かを判定する結露判定部（Ｓ８０）と、
前記結露判定部により前記埃センサに結露が発生したと判定された場合、前記埃センサの周囲の空気の温度および湿度の少なくとも一方を用いて前記埃センサに発生した結露量を推定する結露量推定部（Ｓ１１０）と、
前記結露量推定部により推定された前記結露量に基づいて前記埃センサに発生した結露が解消されるまでの結露解消時間を特定する結露解消時間特定部（Ｓ１３０）と、を備えた埃濃度検出装置。
【請求項２】
前記埃センサの周囲の前記空気の風速を推定する風速推定部（Ｓ１２０）を備え、
前記結露解消時間特定部は、前記風速推定部により推定された前記埃センサの周囲の前記空気の風速および前記結露量推定部により推定された前記結露量に基づいて前記結露解消時間を特定する請求項１に記載の埃濃度検出装置。
【請求項３】
前記埃センサは、車両の室内へ吹き出る空気が流通する通風路（２４）が形成された空調ケース（２１）に配置され、前記通風路を流通する前記空気に含まれる埃の濃度を検出する請求項１または２に記載の埃濃度検出装置。  
【請求項４】
前記車両のドアによる前記車両のドア開口部の開閉があったか否かを判定するドア開閉判定部（Ｓ７０）を備え、
前記結露判定部は、前記ドア開閉判定部により前記車両のドア開口部の開閉があったと判定された場合、前記埃センサに結露が発生したか否かを判定する請求項３に記載の埃濃度検出装置。
【請求項５】
前記車両の室外の絶対温度を特定する外気絶対温度特定部（Ｓ９０）と、前記車両の室内の飽和水蒸気量を特定する飽和水蒸気量特定部（Ｓ１００）と、を備え、
前記結露量推定部は、前記外気絶対温度特定部により特定された前記車両の室外の絶対温度と前記飽和水蒸気量特定部により特定された前記車両の室内の飽和水蒸気量に基づいて前記埃センサに発生した結露量を推定する請求項４に記載の埃濃度検出装置。
【請求項６】
前記通風路への吸気モードが前記車両の室内の内気を導入する内気モードであるか否かを判定する内気モード判定部（Ｓ６２）を備え、
前記結露判定部は、前記モード判定部により前記吸気モードが前記内気モードであると判定された場合、前記埃センサに結露が発生したか否かを判定する請求項３に記載の埃濃度検出装置。
【請求項７】
前記埃センサの温度を特定するセンサ温度特定部（Ｓ１２）と、前記車両の室内の温度を特定する内気温度特定部（Ｓ３０）と、前記車両の室内の湿度を特定する室内湿度特定部（Ｓ４０）と、を備え、
前記結露量推定部は、前記モード判定部により前記吸気モードが前記内気モードであると判定された場合、前記内気温度特定部により特定された前記車両の室内の温度と前記室内湿度特定部により特定された前記車両の室内の湿度に基づいて車室内の絶対湿度を特定するとともに、前記センサ温度特定部により特定された前記埃センサの温度に基づいて前記埃センサの飽和水蒸気量を特定し、前記車室内の絶対湿度と前記埃センサの飽和水蒸気量に基づいて前記埃センサに発生した結露量を推定する請求項６に記載の埃濃度検出装置。
【請求項８】
前記通風路への吸気モードが前記車両の室外の外気を導入する外気モードであるか否かを判定する外気モード判定部（Ｓ６３）を備え、
前記結露判定部は、前記モード判定部により前記吸気モードが前記外気モードであると判定された場合、前記埃センサに結露が発生したか否かを判定する請求項３、６、７のいずれか１つに記載の埃濃度検出装置。
【請求項９】
前記埃センサの温度を特定するセンサ温度特定部（Ｓ１２）と、前記車両の室外の温度を特定する外気温度特定部（Ｓ１０）と、前記車両の室外の湿度を特定する室外湿度特定部（Ｓ２０）と、を備え、
前記結露量推定部は、前記モード判定部により前記吸気モードが前記外気モードであると判定された場合、前記外気温度特定部により特定された前記車両の室外の温度と前記室外湿度特定部により特定された前記車両の室外の湿度に基づいて車室外の絶対湿度を特定するとともに、前記センサ温度特定部により特定された前記埃センサの温度に基づいて前記埃センサの飽和水蒸気量を特定し、前記車室外の絶対湿度と前記埃センサの飽和水蒸気量に基づいて前記埃センサに発生した結露量を推定する請求項８に記載の埃濃度検出装置。
【発明の詳細な説明】
【技術分野】
【０００１】
本発明は、空気に含まれる埃の濃度を検出する埃センサを備えた埃濃度検出装置に関するものである。
【背景技術】
【０００２】
従来、特許文献１に記載された換気装置がある。この換気装置は、発光部と受光部とを有する埃センサを備えており、発光部から発せられた光が浮遊粒子に反射した反射光を受光部で受光することにより空気中の浮遊粒子を検知するようにしている。
【０００３】
この換気装置は、換気装置の筐体内部の風路に面して設けられたセンサ格納部と、換気装置の筐体内部の風路とセンサ格納部の境界部に配置されたシャッターを備えており、埃センサの発光部と受光部に結露が発生した際に、埃センサの誤判断や故障を防止するために、シャッターを閉じて浮遊粒子を検知しないようにしている。
【先行技術文献】
【特許文献】
【０００４】
【特許文献１】特開２０１５−２５５８７号公報
【発明の概要】
【発明が解決しようとする課題】
【０００５】
特許文献１に記載された換気装置は、埃センサに結露が発生した後、埃センサの結露が解消した際に、埃センサの結露が解消したことを正確に判定することができないといった問題がある。
【０００６】
本発明は上記問題に鑑みたもので、埃センサの結露が解消した際に、埃センサの結露が解消したことを正確に判定できるようにすることを目的とする。
【課題を解決するための手段】
【０００７】
上記目的を達成するため、請求項１に記載の発明は、光を照射する発光部（３２１）と光を受光する受光部（３２２）と、を有し、発光部から照射された光が空気に含まれる埃に反射した反射光を受光部が受光することにより空気に含まれる埃の濃度を検出する埃センサ（３２）と、埃センサに結露が発生したか否かを判定する結露判定部（Ｓ８０）と、結露判定部により埃センサに結露が発生したと判定された場合、埃センサの周囲の空気の温度および湿度の少なくとも一方を用いて埃センサに発生した結露量を推定する結露量推定部（Ｓ１１０）と、結露量推定部により推定された結露量に基づいて埃センサに発生した結露が解消されるまでの結露解消時間を特定する結露解消時間特定部（Ｓ１３０）と、を備えている。
【０００８】
このような構成によれば、埃センサに結露が発生したと判定された場合、埃センサの周囲の空気の温度および湿度の少なくとも一方を用いて埃センサに発生した結露量を推定し、推定した結露量に基づいて埃センサに発生した結露が解消されるまでの結露解消時間が特定されるので、埃センサの結露が解消した際に、埃センサの結露が解消したことを正確に判定することができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】第１実施形態において空調ユニットと空調制御装置との概略構成を模式的に示したブロック図である。
【図２】図１の埃センサが埃濃度を検出する原理を簡単に説明するための説明図である。
【図３】図１の埃センサの概略構成を模式的に示した断面図である。
【図４】図１の埃センサが埃濃度を検出しその埃濃度を表す信号を出力するまでの電気的構成を簡単に示したブロック図である。
【図５】第１実施形態において、空調制御装置が実行する制御処理を示したフローチャートである。
【図６】第１実施形態において、空調制御装置が実行する制御処理を示したフローチャートである。
【図７】第１実施形態において図５の制御処理を説明するために、経過時間を横軸として埃濃度検出値の波形を例示した図である。
【図８】第１実施形態において図５の制御処理を説明するために、埃濃度検出値の時間変化割合が大きくなる側へ急変したときの埃濃度検出値の波形を例示した図である。
【図９】結露解消時間と結露発生量の関係を表した図である。
【図１０】第２実施形態において空調ユニットと空調制御装置との概略構成を模式的に示したブロック図である。
【図１１】第２実施形態において、空調制御装置が実行する制御処理を示したフローチャートである。
【図１２】第３実施形態において空調ユニットと空調制御装置との概略構成を模式的に示したブロック図である。
【図１３】第３実施形態において、空調制御装置が実行する制御処理を示したフローチャートである。
【発明を実施するための形態】
【００１１】
以下、本発明の実施形態について図に基づいて説明する。なお、以下の各実施形態相互において、互いに同一もしくは均等である部分には、図中、同一符号を付してある。
【００１２】
（第１実施形態）
本実施形態に係る埃濃度検出装置について図１〜図９を用いて説明する。図１に示すように、埃濃度検出装置は、車両に搭載される車両用空調装置１における空調ユニット２の空調ケース２１に配置された埃センサ３２を有し、この埃センサ３２により空調ケース２１により形成された通風路２４を流れる空気に含まれる埃の濃度を検出する。
【００１３】
車両用空調装置１は、空調ユニット２および空調制御装置４０とを備えている。空調ユニット２は、車室内に設置され車室内の空調を行う車両用空調ユニットである。例えば、空調ユニット２は、車室内のうち車両前方側に配置されたインストルメントパネル内に設置される。なお、図１の各矢印ＤＲ１、ＤＲ２は、空調ユニット２が搭載される車両の向きを示す。すなわち、図１の矢印ＤＲ１は車両前後方向ＤＲ１を示し、矢印ＤＲ２は車両上下方向ＤＲ２を示している。これらの方向ＤＲ１、ＤＲ２は互いに交差する方向、厳密に言えば互いに直交する方向である。
【００１４】
図１に示すように、空調ユニット２は、空調ケース２１、内外気切替ドア２２、送風機２３、エバポレータ２６、ヒータコア２７、エアミックスドア２８、空気フィルタ３０、吹出開口部ドア２５４、２５５、２５６などを有している。
【００１５】
空調ケース２１は、ある程度の弾性を有し、強度的にも優れた樹脂にて形成されている。空調ケース２１を形成する樹脂として、例えばポリプロピレンが挙げられる。空調ケース２１は空調ユニット２の外殻を成し、空調ケース２１の内側には、車室内へ吹き出る空気が流通する空気通路すなわち通風路２４が形成されている。また、空調ケース２１は、通風路２４の空気流れ方向上流側に、車室内の所定箇所から通風路２４に内気を導入するための内気導入口２４１と、車外から通風路２４に外気を導入するための外気導入口２４２とを有している。ここで、内気とは車室内の空気であり、外気とは車室外の空気である。
【００１６】
また、空調ケース２１は、通風路２４の空気流れ方向下流側に、通風路２４から車室内の前席領域に空気を送風するための複数の吹出開口部２５１、２５２、２５３を有している。その複数の吹出開口部２５１、２５２、２５３は、フェイス吹出開口部２５１とフット吹出開口部２５２とデフロスタ吹出開口部２５３とを含んでいる。
【００１７】
フェイス吹出開口部２５１は、前座席に着座した乗員の上半身に向けて空調風を吹き出すものである。フット吹出開口部２５２は、その乗員の足元に向けて空調風を吹き出すものである。デフロスタ吹出開口部２５３は、車両のフロントウインドウに向けて空調風を吹き出すものである。
【００１８】
空調ケース２１の内部には、内外気切替ドア２２、送風機２３、エバポレータ２６、ヒータコア２７、およびエアミックスドア２８などが設けられている。
【００１９】
内外気切替ドア２２は、内気導入口２４１の開口面積と外気導入口２４２の開口面積とを連続的に調整するものである。内外気切替ドア２２は、図示していないサーボモータなどのアクチュエータによって駆動される。内外気切替ドア２２は、内気導入口２４１と外気導入口２４２とのうち一方の導入口を開くほど他方の導入口を閉じるように回転動作する。これにより、内外気切替ドア２２は、通風路２４に導入される内気の風量と外気の風量との割合を調整することが可能である。
【００２０】
通風路への吸気モードとして、車両の室内の内気を導入する内気モードと、車両の室外の外気を導入する外気モードがある。例えば、通風路２４に専ら内気が導入される内気モードでは、内外気切替ドア２２は、内気導入口２４１を開く一方で外気導入口２４２を閉じる作動位置に位置決めされる。逆に、通風路２４に専ら外気が導入される外気モードでは、内外気切替ドア２２は、内気導入口２４１を閉じる一方で外気導入口２４２を開く作動位置に位置決めされる。
【００２１】
送風機２３は空気を送風する遠心送風機であり、通風路２４に配置された遠心ファン２３１と、その遠心ファン２３１を回転駆動する不図示のモータとを有している。送風機２３の遠心ファン２３１が回転駆動されると、通風路２４に気流が形成される。これにより、内気導入口２４１または外気導入口２４２から通風路２４に導入された空気は、その通風路２４を流れ、フェイス吹出開口部２５１とフット吹出開口部２５２とデフロスタ吹出開口部２５３との少なくとも１つから吹き出される。なお、通風路２４のうち遠心ファン２３１よりも空気流れ方向下流側では、大まかには矢印Ａｒで示される方向に空気が流れる。
【００２２】
フェイス吹出開口部ドア２５４はフェイス吹出開口部２５１に設けられており、そのフェイス吹出開口部２５１の開口面積を調整する。フット吹出開口部ドア２５５はフット吹出開口部２５２に設けられており、そのフット吹出開口部２５２の開口面積を調整する。デフロスタ吹出開口部ドア２５６はデフロスタ吹出開口部２５３に設けられており、そのデフロスタ吹出開口部２５３の開口面積を調整する。
【００２３】
エバポレータ２６は、通風路２４を流れる空気を冷却するための熱交換器である。エバポレータ２６は、エバポレータ２６を通過する空気と冷媒とを熱交換させ、それにより、その空気を冷却すると共に冷媒を蒸発させる。
【００２４】
ヒータコア２７は、通風路２４を流れる空気を加熱するための熱交換器である。ヒータコア２７は、例えばエンジン冷却水とヒータコア２７を通過する空気とを熱交換させ、エンジン冷却水の熱で空気を加熱する。また、ヒータコア２７は、エバポレータ２６に対し空気流れ方向下流側に配置されている。
【００２５】
空調ユニット２のエバポレータ２６とヒータコア２７との間には、エアミックスドア２８が設けられている。エアミックスドア２８は、エバポレータ２６を通過し、ヒータコア２７を迂回して流れる風量と、エバポレータ２６を通過した後にヒータコア２７を通過する風量との割合を調整する。
【００２６】
空気フィルタ３０は、空調ケース２１の通風路２４のうち送風機２３とエバポレータ２６との間に配置されている。言い換えれば、空気フィルタ３０は、送風機２３に対する空気流れ方向下流側で且つエバポレータ２６に対する空気流れ方向上流側に配置されている。
【００２７】
空気フィルタ３０は、その空気フィルタ３０を通過する空気中に含まれる塵埃等を或る程度捕捉する。従って、送風機２３から吹き出された空気は、その空気中の塵埃等が空気フィルタ３０によって或る程度取り除かれてから、エバポレータ２６へ流入する。
【００２８】
この空気フィルタ３０が空調ケース２１の通風路２４に設けられているので、空調制御装置４０は、車室内の埃濃度を低減するように空調ユニット２を運転することが可能である。そのように運転する場合、空調制御装置４０は、例えば、空調ユニット２を内気モードとした上で、送風機２３を作動させる。そして、送風機２３の送風量が大きくなるほど、空調ユニット２が車室内の埃を除去する埃除去能力は高くなる。
【００２９】
次に、埃センサ３２について説明する。埃センサ３２は、車両の室内へ吹き出る空気が流通する通風路２４が形成された空調ケース２１に配置され、通風路２４を流通する空気に含まれる埃の濃度を検出する。埃センサ３２は、図２および図３に示すように、所定のセンシング箇所Ａｒｅの空気に含まれる浮遊粒子の濃度である埃濃度を検出し、検出した埃濃度を示す検出信号を空調制御装置４０へ出力する。その埃濃度は塵埃濃度とも言い、詳細に言えば、空気中に含まれる埃の質量濃度であり、埃濃度の単位は例えば「μｇ／ｍ3」である。
【００３０】
本実施形態の埃センサ３２は、光散乱法により埃濃度を検出するように構成された光学式塵埃センサである。つまり、埃センサ３２は、光を発する発光部３２１と、発光部３２１が発した光を受ける受光部３２２と、その発光部３２１と受光部３２２とを収容するセンサケース３２３とを備えている。埃センサ３２は、その発光部３２１から照射された光が反射した反射光を受光部３２２が受光することにより、通風路２４を流通する空気に含まれる埃濃度を検出する。
【００３１】
従って、埃センサ３２のセンサケース３２３内には空調ケース２１の通風路２４を流れる空気の一部が導入されるようになっている。具体的には、埃センサ３２は、送風機２３の遠心ファン２３１に対する空気流れ方向下流側で且つ空気フィルタ３０に対する空気流れ方向上流側に配置されている。そのため、通風路２４のうち遠心ファン２３１と空気フィルタ３０との間から空気がセンサケース３２３内に導入される。すなわち、本実施形態では、通風路２４のうち遠心ファン２３１と空気フィルタ３０との間が、埃センサ３２のセンシング箇所となっている。
【００３２】
埃センサ３２の発光部３２１は、例えば発光ダイオードで構成された発光素子３２１ａと、照射光レンズ３２１ｂとを有している。受光部３２２は、例えばフォトダイオードで構成された受光素子３２２ａと、集光レンズ３２２ｂとを有している。図３の矢印Ｂ１のように発光素子３２１ａから発せられ照射光レンズ３２１ｂを通った光は、センサケース３２３内に導入された空気中の埃に反射し、その反射した光は、矢印Ｂ２のように集光レンズ３２２ｂを通って受光素子３２２ａに受光される。受光素子３２２ａには、受光量に応じた電流が流れる。
【００３３】
図４に示すように、埃センサ３２はセンサ回路３２４を有しており、そのセンサ回路３２４は、受光素子３２２ａの電流を増幅し、この増幅した電流を電圧に変換して増幅し、電圧出力する。埃センサ３２の電圧出力は埃濃度に換算される。埃センサ３２は、このようにして通風路２４の埃濃度を検出する。なお、図４のグラフＧＦの縦軸は、電圧値から換算された埃濃度すなわち濃度換算値を表し、グラフＧＦの横軸は経過時間を表している。
【００３４】
埃センサ３２の発光部３２１、照射光レンズ３２１ｂ、集光レンズ３２２ｂおよび受光素子３２２ａ等の光学部品が冷却された状態で、埃センサ３２の周囲に高温度、高湿度の空気が導入されると、埃センサ３２の各光学部品に結露が生じる。このように、埃センサ３２の各光学部品に結露が生じると、埃センサ３２の電圧出力の変動が大きくなる。
【００３５】
また、図３に示すように、本実施形態の埃センサ３２は、センサケース３２３内の温度を検出するサーミスタ３２５を備えている。このサーミスタ３２５は、埃センサ３２の温度を検出し、検出した温度を埃センサ３２の温度信号として埃センサ制御部５０に出力する。
【００３６】
次に、空調制御装置４０について説明する。図１に示す空調制御装置４０は、空調ユニット２を制御する制御装置である。具体的に、空調制御装置４０は、半導体メモリなどの非遷移的実体的記憶媒体で構成された記憶部とプロセッサとを含んだ電子制御装置である。空調制御装置４０は、その記憶部に格納されたコンピュータプログラムを実行する。このコンピュータプログラムが実行されることで、コンピュータプログラムに対応する方法が実行される。すなわち、空調制御装置４０は、そのコンピュータプログラムに従って、後述する図５〜図６の処理など、種々の制御処理を実行する。
【００３７】
また、空調制御装置４０は空調ユニット２に含まれる各アクチュエータへ制御信号を出力することにより、各アクチュエータの作動を制御する。要するに、空調制御装置４０は、空調ユニット２において種々の空調制御を行う。例えば、上述した送風機２３、内外気切替ドア２２、エアミックスドア２８、フェイス吹出開口部ドア２５４、フット吹出開口部ドア２５５、およびデフロスタ吹出開口部ドア２５６は、空調制御装置４０によって駆動制御される。
【００３８】
また、図１に示すように、空調制御装置４０には、例えば、埃センサ３２などのセンサ類やドア等のアクチュエータのほか、操作装置４４、表示装置４６および通信部４７が電気的に接続されている。
【００３９】
操作装置４４は、空調ユニット２から吹き出される空調風の風量や温度等を調整する際に乗員により操作される操作部である。操作装置４４は、例えば車両のインストルメントパネルに配置されている。操作装置４４では、例えば空調風の風量、車室内の目標室温、及び空調風の吹出口等を設定することができる。また、操作装置４４では、空調風の風量調整、空調風の温度調整、および内気循環または外気導入の選択が自動的に行われる自動空調モードを設定することもできる。操作装置４４は、これらの設定を示す情報、すなわち操作装置４４に対して為された乗員操作を示す操作情報を、空調制御装置４０に出力する。
【００４０】
例えば、操作装置４４で自動空調モードが設定されると、空調制御装置４０は、送風機２３の送風量、および各ドア２２、２８、２５４、２５５、２５６の作動を、複数のセンサ類からの入力信号に基づいて自動的に調整または制御する。
【００４１】
表示装置４６は、空調ユニット２の各種情報を表示する表示部である。すなわち、表示装置４６には、その空調ユニット２の各種情報を示す信号が空調制御装置４０から入力され、表示装置４６は、その空調制御装置４０から入力信号に従った表示を行う。
【００４２】
表示装置４６は、例えば車両のインストルメントパネルなど車室内の乗員が見易い位置に配置されている。この表示装置４６は、カーナビゲーション装置など他の車載機器の表示装置に含まれていてもよいし、空調ユニット２専用のものとして構成されていてもよい。
【００４３】
通信部４７は、各種ＥＣＵ等の外部機器と通信を行うものである。埃センサ制御部５０を含む空調制御装置４０は、通信部４７を介して埃センサ３２が検出した埃濃度の検出値等の情報を各種ＥＣＵ等の外部機器へ通知する。
【００４４】
空調制御装置４０には、外気温度、外気湿度、内気温度、内気湿度を示す信号およびドア開閉信号が入力される。外気温度は、車両の室外の温度を検出する外気温度センサによって検出され、外気湿度は、車両の室外の相対湿度を検出する外気湿度センサによって検出される。また、内気温度は、車両の室内の温度を検出する内気温度センサによって検出され、内気湿度は、車両の室内の相対湿度を検出する内気湿度センサによって検出される。ドア開閉信号は、車両のドアによる車両のドア開口部の開閉があったことを示す信号であり、不図示のドア開スイッチより入力される。
【００４５】
次に、空調制御装置４０および埃センサ制御部５０が実行する処理について図５〜図６を用いて説明する。図５〜図６は、空調制御装置４０および埃センサ制御部５０が実行する処理を示したフローチャートである。ここで、空調制御装置４０および埃センサ制御部５０を制御部として、その制御処理について説明する。制御部は、例えば空調ユニット２の作動中に、図５〜図６のフローチャートを周期的に実行する。
【００４６】
まず、ステップＳ１０にて制御部は、外気温度センサによって検出された外気温度を取得し、ステップＳ２０にて制御部は、外気湿度センサによって検出された外気湿度を取得する。
【００４７】
次に、ステップＳ３０にて制御部は、内気温度センサによって検出された内気温度を取得し、ステップＳ４０にて制御部は、内気湿度センサによって検出された内気湿度を取得する。
【００４８】
次に、ステップＳ５０にて制御部は、埃センサ３２からの検知信号により、埃センサ３２が検出した埃濃度の検出値Ｄｍすなわち埃濃度検出値Ｄｍを取得する。要するに、制御部は、埃センサ３２からの検出信号に従った埃濃度の検出を実施する。
【００４９】
次に、ステップＳ６０にて制御部は、結露フラグが設定されているか否かを判定する。具体的には、埃センサ３２に結露が発生していることを示す結露フラグが記憶部に設定されているか否かを判定する。なお、結露フラグは、制御部が自ら設定するものである。
【００５０】
ここでは、埃センサ３２に結露が発生しておらず、結露フラグが記憶部に設定されていないものとして説明する。結露フラグが記憶部に設定されていない場合、ステップＳ７０にて制御部は、不図示のドア開スイッチよりドア開閉信号が入力されたか否かを判定する。
【００５１】
なお、冷房により車室内の空気が冷却された状態で、車両のドアがドア開口部を開閉し、車室外の高温度、高湿度の外気が車両のドア開口部から車室内に入り込むと、車室外の高温度、高湿度の外気が通風路２４に吸入され、埃センサ３２に結露が生じる可能性がある。このような状況を把握するため、ステップＳ７０にて制御部は、ドア開スイッチよりドア開閉信号が入力されたか否かに基づいて車両ドアが開閉されたか否かを判定する。
【００５２】
ここで、ドア開スイッチよりドア開閉信号が入力されると、ステップＳ８０にて制御部は、埃センサ３２に結露が発生したか否かを判定する。例えば図７および図８に示すように、埃濃度検出値Ｄｍの時間変化割合、すなわち埃濃度検出値Ｄｍの勾配が所定の限度を超えて急変した場合に、埃センサ３２に結露が発生したと判定される。埃センサ３２に結露が発生すると、センサケース３２３内において、その結露水にも、発光部３２１から発せられた光が反射するからである。つまり、このステップＳ８０では、埃濃度検出値Ｄｍが埃センサ３２の結露の影響を受けているか否かが判定され、その埃濃度検出値Ｄｍが結露の影響を受けている場合に、埃センサ３２に結露が発生したと判定される。
【００５３】
ここで、埃センサ３２に結露が発生したと判定されたと判定された場合、ステップＳ９０にて制御部は、車室外の外気絶対湿度を特定する。車室外の外気絶対湿度は、ステップＳ１０にて取得した外気温度と、Ｓ２０にて取得した外気湿度を用いて特定することができる。
【００５４】
次に、ステップＳ１００にて制御部は、車室内の飽和水蒸気量を特定する。具体的には、制御部は、ステップＳ３０にて取得した内気温度に対応する飽和水蒸気量を車室内の飽和水蒸気量として特定する。なお、飽和水蒸気量の単位は、例えば、ｇ／ｍ3として表される。
【００５５】
次に、ステップＳ１１０にて制御部は、ステップ９０にて特定した車室外の外気絶対湿度と、ステップＳ１００にて特定した車室内の飽和水蒸気量に基づいて埃センサ３２の結露量を推定する。埃センサ３２の結露量は、車室外の容積外気絶対湿度−車室内の飽和水蒸気量として算出することができる。なお、車室外の容積外気絶対湿度は、単位体積当たりの絶対湿度であり、単位はｇ／ｍ3として表される。
【００５６】
次に、ステップＳ１２０にて制御部は、埃センサ３２の周囲の空気の風量を特定する。本実施形態では、送風機２３の遠心ファン２３１を回転駆動する電圧値が所定電圧以上であるか否かに基づいて埃センサ３２の周囲の空気の風量が風量大であるか風量小であるかを特定する。
【００５７】
次に、ステップＳ１３０にて制御部は、埃センサ３２の結露解消時間を特定する。図９に、結露解消時間と結露発生量の関係を示す。図に示すように、結露発生量が多いほど結露解消時間が長くなる。また、埃センサ３２の周囲の空気の風速が所定速度ｖの場合には、埃センサ３２の周囲の空気の風速が０の場合と比較して、結露解消時間が短くなる。すなわち、埃センサ３２の周囲の空気の風量が多い場合には、埃センサ３２の周囲の空気の風速が少ない場合よりも結露解消時間が短くなる。
【００５８】
制御部の記憶部には、図９に示す結露解消時間と結露発生量の関係がマップとして記憶されており、制御部は、このマップを参照してステップＳ１１０にて特定した埃センサ３２の結露量とステップＳ１２０にて特定した埃センサ３２の周囲の空気の風量から埃センサ３２の結露解消時間を特定する。
【００５９】
次に、ステップＳ１４０にて制御部は、通信部４７を介して外部機器としてのボデーＥＣＵに埃センサ３２に結露が発生していることを表す結露ダイアグを出力し、図６のＡ１へ進む。
【００６０】
なお、ボデーＥＣＵは、通信部４７を介して制御部から結露ダイアグを受信すると、表示装置４６に埃センサ３２に結露が発生したことを表示装置４６に表示させる。
【００６１】
次に、ステップＳ１５０にて制御部は、結露解消時間が経過したか否かを判定する。制御部は、ステップＳ８０にて埃センサ３２に結露が発生したと判定すると、タイマによる計時を開始するようになっており、タイマのカウント値に基づいて結露解消時間が経過したか否かを判定する。
【００６２】
ここで、結露解消時間が経過していない場合、ステップＳ１８０にて制御部は、結露フラグを設定または設定保持する。すなわち、結露フラグを記憶部に設定していない場合には結露フラグを記憶部に設定し、既に結露フラグを記憶部に設定している場合には、結露フラグの記憶部への設定を保持する。
【００６３】
次に、ステップＳ１９０にて制御部は、ステップＳ５０にて取得した埃濃度の出力値を補正する。本実施形態の制御部は、埃センサ３２に結露が発生していないときの埃センサ３２の出力値を記憶部に周期的に記憶するようになっている。埃センサ３２に結露が発生している際の埃センサ３２の出力値は精度が低いため、記憶部から埃センサ３２に結露が発生していないときの直近の埃センサ３２の出力値を記憶部から読み出し、この記憶部から読み出した埃センサ３２の出力値を埃センサ３２の出力値として補正する。
【００６４】
次に、ステップＳ２００にて制御部は、埃濃度を通信部４７から出力する。ここでは、ステップＳ１９０にて補正された埃センサ３２の出力値を通信部４７から出力し、本処理を終了する。
【００６５】
なお、ステップＳ８０にて埃センサ３２に結露が発生したと判定されてから、結露解消時間が経過し、ステップＳ１５０にて結露解消時間が経過したと判定されると、ステップＳ１６０にて制御部は、結露フラグを解除する。具体的には、制御部は、記憶部に記憶された結露フラグを消去する。
【００６６】
次に、ステップＳ１７０にて制御部は、埃センサ３２に結露が発生していることを表す結露ダイアグを解除する。この処理は、埃センサ制御部５０が空調制御装置４０に対して行う処理である。具体的には、埃センサ制御部５０は、通信部４７を介した外部機器への結露ダイアグの出力を中止する。
【００６７】
なお、ステップＳ６０にて結露フラグが設定されていると判定された場合、制御部は、ステップＳ７０〜ステップＳ１３０を実施することなく、ステップＳ１４０へ進む。したがって、制御部は、結露ダイアグを継続して出力する。
【００６８】
また、ステップＳ７０にてドア開スイッチよりドア開閉信号が入力されない場合、制御部は、ステップＳ２００へ進む。したがって、Ｓ２００にて制御部は、ステップＳ５０にて取得した埃濃度の出力値を通信部４７から出力する。
【００６９】
ここで、図示してないが、制御部は、吸気モードが外気モードとなっており、かつ、埃濃度の出力値が所定値以上になった場合、吸気モードを内気モードに切り替える処理を行うとともに、空気フィルタ３０を通過する空気の流量が大きくなるよう送風機２３の遠心ファン２３１を回転駆動する電圧値を増加させる。
【００７０】
また、ステップＳ８０にて埃センサ３２に結露が発生していないと判定された場合、制御部は、ステップＳ２００へ進む。この場合も、Ｓ２００にて制御部は、ステップＳ５０にて取得した埃濃度の出力値を通信部４７から出力する。
【００７１】
以上説明したように、本埃濃度検出装置は、光を照射する発光部３２１と光を受光する受光部３２２と、を有し、発光部３２１から照射された光が空気に含まれる埃に反射した反射光を受光部３２２が受光することにより空気に含まれる埃の濃度を検出する埃センサ３２を備えている。また、埃センサ３２に結露が発生したか否かを判定する結露判定部と、結露判定部により埃センサに結露が発生したと判定された場合、埃センサの周囲の空気の温度および湿度の少なくとも一方を用いて埃センサに発生した結露量を推定する結露量推定部と、を備えている。さらに、結露量推定部により推定された結露量に基づいて埃センサに発生した結露が解消されるまでの結露解消時間を特定する結露解消時間特定部と、を備えている。
【００７２】
このような構成によれば、埃センサ３２に結露が発生したと判定された場合、埃センサ３２の周囲の空気の温度および湿度の少なくとも一方を用いて埃センサに発生した結露量が推定され、この結露量に基づいて埃センサ３２に発生した結露が解消されるまでの結露解消時間が特定されるので、埃センサ３２の結露が解消した際に、埃センサ３２の結露が解消したことを正確に判定することができる。
【００７３】
なお、埃センサ３２の出力電圧のレベルが安定したか否かに基づいて埃センサ３２の結露が解消したか否かを判定することも可能ではある。しかし、埃センサ３２に発生した結露が解消する過程において、埃センサ３２の出力電圧のレベルは徐々に安定するため、埃センサ３２の出力電圧のレベルに基づいて埃センサ３２の結露が解消したか否かを判定するような構成では、埃センサ３２の結露が解消したか否かを正確に判定することは難しい。例えば、埃センサ３２の結露が完全に解消していないにもかかわらず、埃センサ３２の結露が解消したと誤判定してしまうことが考えられる。
【００７４】
しかし、本実施形態のように、埃センサに発生した結露量を推定し、この結露量に基づいて埃センサ３２に発生した結露が解消されるまでの結露解消時間を特定することで、埃センサ３２の結露が解消した際に、埃センサ３２の結露が解消したことを正確に判定することができる。
【００７５】
また、本埃濃度検出装置は、埃センサ３２の周囲の空気の風速を推定する風速推定部を備え、結露解消時間特定部は、風速推定部により推定された埃センサの周囲の空気の風速および結露量推定部により推定された結露量に基づいて結露解消時間を特定する。
【００７６】
したがって、埃センサの周囲の空気の風速による影響を考慮した結露解消時間の特定が可能である。
【００７７】
また、埃センサ３２は、車両の室内へ吹き出る空気が流通する通風路２４が形成された空調ケース２１に配置され、通風路を流通する空気に含まれる埃の濃度を検出する。
【００７８】
このように、車両の室内へ吹き出る空気が流通する通風路２４が形成された空調ケース２１に埃センサ３２を配置し、この埃センサ３２により通風路２４を流通する空気に含まれる埃の濃度を検出することができる。
【００７９】
また、本埃濃度検出装置は、車両のドアによる車両のドア開口部の開閉があったか否かを判定するドア開閉判定部を備え、結露判定部は、ドア開閉判定部により車両のドア開口部の開閉があったと判定された場合、埃センサに結露が発生したか否かを判定する。
【００８０】
したがって、例えば、冷房により車室内の空気が冷却された状態で、車両のドアがドア開口部を開閉し、車室外の高温度、高湿度の外気が車両のドア開口部から車室内に入り込み、埃センサ３２に結露が生じる可能性があるような状況で、埃センサ３２に発生した結露が解消されるまでの結露解消時間を特定することができる。
【００８１】
また、本埃濃度検出装置は、車両の室外の絶対温度を特定する外気絶対温度特定部（Ｓ９０）と、車両の室内の飽和水蒸気量を特定する飽和水蒸気量特定部（Ｓ１００）と、を備えている。そして、結露量推定部は、外気絶対温度特定部により特定された車両の室外の絶対温度と飽和水蒸気量特定部により特定された車両の室内の飽和水蒸気量に基づいて埃センサに発生した結露量を推定する。
【００８２】
このように、車両の室外の絶対温度と車両の室内の飽和水蒸気量を特定し、車両の室外の絶対温度と車両の室内の飽和水蒸気量に基づいて埃センサに発生した結露量を推定することで、結露解消時間を精度良く特定することができる。
【００８３】
（第２実施形態）
第２実施形態に係る埃濃度検出装置について図１０〜図１１を用いて説明する。上記第１実施形態の空調制御装置４０には、外気温度、外気湿度、内気温度、内気湿度およびドア開閉信号が入力されされているが、本実施形態の空調制御装置４０には、図１０に示すように、内気温度および内気湿度が入力されている。
【００８４】
図１１、図６は、本実施形態の空調制御装置４０および埃センサ制御部５０が実行する処理を示したフローチャートである。なお、図６に関する部分は、上記第１実施形態の制御処理と同一であるので、ここではその説明を省略し、ここでは、図１１に示す部分を中心に説明する。
【００８５】
図１１に示すように、まず、ステップＳ１２にて制御部は、サーミスタ３２５にて検出された埃センサ３２の温度を取得する。
【００８６】
次に、ステップＳ３０にて制御部は、内気温度センサによって検出された内気温度を取得し、ステップＳ４０にて制御部は、内気湿度センサによって検出された内気湿度を取得する。
【００８７】
次に、ステップＳ５０にて制御部は、埃センサ３２からの検知信号により、埃センサ３２が検出した埃濃度の検出値Ｄｍすなわち埃濃度検出値Ｄｍを取得し、ステップＳ６０にて制御部は、結露フラグが設定されているか否かを判定する。
【００８８】
ここでは、埃センサ３２に結露が発生しておらず、結露フラグが記憶部に設定されていないものとして説明する。結露フラグが記憶部に設定されていない場合、ステップＳ６２にて制御部は、吸気モードが内気モードであるか否かを判定する。具体的には、制御部は、吸気モードが内気モードであるか外気モードであるかを判定する。
【００８９】
ここで、吸気モードが内気モードに設定されている場合、ステップＳ８０にて制御部は、埃センサ３２に結露が発生したか否かを判定する。
【００９０】
ここで、埃センサ３２に結露が発生したと判定された場合、ステップＳ９２にて制御部は、車室内の内気絶対湿度を特定する。車室内の内気絶対湿度は、ステップＳ２０にて取得した内気温度と、ステップＳ３０にて取得した内気湿度を用いて特定することができる。
【００９１】
次に、ステップＳ９４にて制御部は、埃センサ３２の飽和水蒸気量を特定する。具体的には、制御部は、ステップＳ１０にて取得した埃センサ３２の温度に対応する飽和水蒸気量を埃センサ３２の飽和水蒸気量として特定する。
【００９２】
次に、ステップＳ１１０にて制御部は、ステップ９２にて特定した車室内の内気絶対湿度と、ステップＳ９４にて特定した埃センサ３２の飽和水蒸気量に基づいて埃センサ３２の結露量を推定する。埃センサ３２の結露量は、車室内の容積内気絶対湿度−埃センサ３２の飽和水蒸気量として算出することができる。なお、車室外の容積内気絶対湿度は、単位体積当たりの絶対湿度であり、単位はｇ／ｍ3として表される。
【００９３】
次に、ステップＳ１２０にて制御部は、埃センサ３２の周囲の空気の風量を特定する。具体的には、制御部は、埃センサ３２の周囲の空気の風量が風量大であるか風量小であるかを特定する。
【００９４】
次に、ステップＳ１３０にて制御部は、埃センサ３２の結露解消時間を特定する。制御部の記憶部には、図９に示す結露解消時間と結露発生量の関係がマップとして記憶されており、制御部は、このマップを参照してステップＳ１１０にて特定した埃センサ３２の結露量とステップＳ１２０にて特定した埃センサ３２の周囲の空気の風量から埃センサ３２の結露解消時間を特定する。なお、制御部は、ステップＳ１２０にて特定した埃センサ３２の周囲の空気の風量に対応するよう埃センサ３２の結露解消時間を特定し、ステップＳ１４０へ進む。
【００９５】
以上説明したように、本埃濃度検出装置は、通風路２４への吸気モードが車両の室内の内気を導入する内気モードであるか否かを判定する内気モード判定部を備えている。そして、結露判定部は、モード判定部により吸気モードが内気モードであると判定された場合、埃センサ３２に結露が発生したか否かを判定する。
【００９６】
このように、吸気モードが内気モードであると判定された場合、埃センサ３２に結露が発生したか否かを判定することができる。
【００９７】
また、本埃濃度検出装置は、埃センサ３２の温度を特定するセンサ温度特定部と、車両の室内の温度を特定する内気温度特定部と、車両の室内の湿度を特定する室内湿度特定部と、を備えている。そして、結露量推定部は、モード判定部により吸気モードが内気モードであると判定された場合、内気温度特定部により特定された車両の室内の温度と室内湿度特定部により特定された車両の室内の湿度に基づいて車室内の絶対湿度を特定するとともに、センサ温度特定部により特定された埃センサの温度に基づいて埃センサの飽和水蒸気量を特定し、車室内の絶対湿度と埃センサの飽和水蒸気量に基づいて埃センサに発生した結露量を推定する。
【００９８】
このように、吸気モードが内気モードであると判定された場合には、車両の室内の温度と車両の室内の湿度に基づいて車室内の絶対湿度を特定するとともに、センサ温度特定部により特定された埃センサの温度に基づいて埃センサの飽和水蒸気量を特定し、車室内の絶対湿度と埃センサの飽和水蒸気量に基づいて埃センサに発生した結露量を推定することで、結露解消時間を精度良く特定することができる。
【００９９】
（第３実施形態）
第３実施形態に係る埃濃度検出装置について図１２〜図１３を用いて説明する。上記第１実施形態の空調制御装置４０には、外気温度、外気湿度、内気温度、内気湿度およびドア開閉信号が入力されされているが、本実施形態の空調制御装置４０には、図１２に示すように、外気温度および外気湿度が入力されている。
【０１００】
図１３、図６は、本実施形態の空調制御装置４０および埃センサ制御部５０が実行する処理を示したフローチャートである。なお、図６に関する部分は、上記第１実施形態の制御処理と同一であるので、ここではその説明を省略し、ここでは、図１３に示す部分を中心に説明する。
【０１０１】
図１３に示すように、まず、ステップＳ１２にて制御部は、サーミスタ３２５にて検出された埃センサ３２の温度を取得する。
【０１０２】
次に、ステップＳ１０にて制御部は、外気温度センサによって検出された外気温度を取得し、ステップＳ２０にて制御部は、外気湿度センサによって検出された外気湿度を取得する。
【０１０３】
次に、ステップＳ５０にて制御部は、埃センサ３２からの検知信号により、埃センサ３２が検出した埃濃度の検出値Ｄｍすなわち埃濃度検出値Ｄｍを取得し、ステップＳ６０にて制御部は、結露フラグが設定されているか否かを判定する。
【０１０４】
ここでは、埃センサ３２に結露が発生しておらず、結露フラグが記憶部に設定されていないものとして説明する。結露フラグが記憶部に設定されていない場合、ステップＳ６３にて制御部は、吸気モードが外気モードであるか否かを判定する。具体的には、制御部は、吸気モードが内気モードであるか外気モードであるかを判定する。
【０１０５】
ここで、吸気モードが外気モードに設定されている場合、ステップＳ８０にて制御部は
、埃センサ３２に結露が発生したか否かを判定する。
【０１０６】
ここで、埃センサ３２に結露が発生したと判定された場合、ステップＳ９３にて制御部は、車室外の外気絶対湿度を特定する。車室外の外気絶対湿度は、ステップＳ１０にて取得した外気温度と、ステップＳ２０にて取得した外気湿度を用いて特定することができる。
【０１０７】
次に、ステップＳ９４にて制御部は、埃センサ３２の飽和水蒸気量を特定する。具体的には、制御部は、ステップＳ１０にて取得した埃センサ３２の温度に対応する飽和水蒸気量を埃センサ３２の飽和水蒸気量として特定する。
【０１０８】
次に、ステップＳ１１０にて制御部は、ステップ９３にて特定した車室外の外気絶対湿度と、ステップＳ９４にて特定した埃センサ３２の飽和水蒸気量に基づいて埃センサ３２の結露量を推定する。埃センサ３２の結露量は、車室外の容積外気絶対湿度−埃センサ３２の飽和水蒸気量として算出することができる。なお、車室外の容積外気絶対湿度は、単位体積当たりの絶対湿度であり、単位はｇ／ｍ3として表される。
【０１０９】
次に、ステップＳ１２０にて制御部は、埃センサ３２の周囲の空気の風量を特定する。具体的には、制御部は、埃センサ３２の周囲の空気の風量が風量大であるか風量小であるかを特定する。
【０１１０】
次に、ステップＳ１３０にて制御部は、埃センサ３２の結露解消時間を特定する。制御部の記憶部には、図９に示す結露解消時間と結露発生量の関係がマップとして記憶されており、制御部は、このマップを参照してステップＳ１１０にて特定した埃センサ３２の結露量とステップＳ１２０にて特定した埃センサ３２の周囲の空気の風量から埃センサ３２の結露解消時間を特定する。なお、制御部は、ステップＳ１２０にて特定した埃センサ３２の周囲の空気の風量に対応するよう埃センサ３２の結露解消時間を特定し、ステップＳ１４０へ進む。
【０１１１】
上記したように、本埃濃度検出装置は、通風路への吸気モードが車両の室外の外気を導入する外気モードであるか否かを判定する外気モード判定部（Ｓ６３）を備え、
結露判定部は、モード判定部により吸気モードが外気モードであると判定された場合、埃センサに結露が発生したか否かを判定する。
【０１１２】
このように、吸気モードが外気モードであると判定された場合、埃センサに結露が発生したか否かを判定することができる。
【０１１３】
また、本埃濃度検出装置は、埃センサ３２の温度を特定するセンサ温度特定部と、車両の室外の温度を特定する外気温度特定部と、車両の室外の湿度を特定する室外湿度特定部と、を備えている。そして、結露量推定部は、モード判定部により吸気モードが外気モードであると判定された場合、外気温度特定部により特定された車両の室外の温度と室外湿度特定部により特定された車両の室外の湿度に基づいて車室外の絶対湿度を特定するとともに、センサ温度特定部により特定された埃センサの温度に基づいて埃センサの飽和水蒸気量を特定し、車室外の絶対湿度と埃センサの飽和水蒸気量に基づいて埃センサに発生した結露量を推定する。
【０１１４】
このように、吸気モードが外気モードであると判定された場合には、車両の室外の温度と車両の室外の湿度に基づいて車室外の絶対湿度を特定するとともに、センサ温度特定部により特定された埃センサの温度に基づいて埃センサの飽和水蒸気量を特定し、車室外の絶対湿度と埃センサの飽和水蒸気量に基づいて埃センサに発生した結露量を推定することで、結露解消時間を精度良く特定することができる。
【０１１５】
（他の実施形態）
（１）上記各実施形態では、外気温度センサから外気温度を取得し、外気湿度センサから外気湿度を取得し、内気温度センサから内気温度を取得し、内気湿度センサから内気湿度を取得したが、必ずしもこれらのセンサから各温度および各湿度を取得しなくてもよい。例えば、車両ＬＡＮを介して各温度および各湿度を取得するよう構成してもよい。また、例えば、無線通信網を介してクラウドサーバから外気温度や外気湿度を取得するよう構成することもできる。
【０１１６】
（２）送風機２３の遠心ファン２３１を回転駆動する電圧値を多段階に可変して送風機２３から送風される空気の風速を多段階に可変するよう構成してもよい。この場合、ブロワ電圧に応じて埃センサ３２の周囲を流通する空気の風速を多段階に推定し、この推定した風速を用いて結露解消時間を特定するようにしてもよい。
【０１１７】
（３）上記第１実施形態では、Ｓ７０にて、ドア開閉判定部により前記車両のドア開口部の開閉があったと判定された場合、Ｓ８０にて、埃センサに結露が発生したか否かを判定するようにした。これに対し、車両のドアの窓が開閉したか否かを示す信号に基づいて車両のドアの窓の開閉があったと判定された場合、Ｓ８０にて、埃センサに結露が発生したか否かを判定するようにしてもよい。
【０１１８】
（４）上記第２実施形態では、吸気モードが内気モードであると判定した場合、内気モードに適した結露解消時間の特定を実施し、上記第３実施形態では、吸気モードが外気モードであると判定した場合、外気モードに適した結露解消時間の特定を実施するようにした。これに対し、上記第２実施形態と上記第３実施形態を組み合わせることもできる。具体的には、吸気モードが内気モードであるか外気モードであるかを判定し、吸気モードが内気モードである場合には、内気モードに適した結露解消時間の特定を実施し、吸気モードが外気モードである場合には、外気モードに適した結露解消時間の特定を実施するようにしてもよい。
【０１１９】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１２０】
（まとめ）
上記各実施形態の一部または全部で示された第１の観点によれば、本埃濃度検出装置は、光を照射する発光部と光を受光する受光部と、を有し、発光部から照射された光が空気に含まれる埃に反射した反射光を受光部が受光することにより空気に含まれる埃の濃度を検出する埃センサを備えている。また、埃センサに結露が発生したか否かを判定する結露判定部と、結露判定部により埃センサに結露が発生したと判定された場合、埃センサの周囲の空気の温度および湿度の少なくとも一方を用いて埃センサに発生した結露量を推定する結露量推定部と、を備えている。さらに、結露量推定部により推定された結露量に基づいて埃センサに発生した結露が解消されるまでの結露解消時間を特定する結露解消時間特定部と、を備えている。
【０１２１】
また、第２の観点によれば、本埃濃度検出装置は、埃センサの周囲の空気の風速を推定する風速推定部を備え、結露解消時間特定部は、風速推定部により推定された埃センサの周囲の空気の風速および結露量推定部により推定された結露量に基づいて結露解消時間を特定する。
【０１２２】
したがって、埃センサの周囲の空気の風速による影響を考慮した結露解消時間の特定が可能である。
【０１２３】
また、第３の観点によれば、埃センサは、車両の室内へ吹き出る空気が流通する通風路が形成された空調ケースに配置され、通風路を流通する空気に含まれる埃の濃度を検出する。
【０１２４】
このように、車両の室内へ吹き出る空気が流通する通風路が形成された空調ケースに埃センサを配置し、この埃センサにより通風路２４を流通する空気に含まれる埃の濃度を検出することができる。
【０１２５】
また、第４の観点によれば、本埃濃度検出装置は、車両のドアによる車両のドア開口部の開閉があったか否かを判定するドア開閉判定部を備え、結露判定部は、ドア開閉判定部により車両のドア開口部の開閉があったと判定された場合、埃センサに結露が発生したか否かを判定する。
【０１２６】
したがって、車両のドア開口部の開閉があったと判定された場合、埃センサに結露が発生したか否かを判定することができる。例えば、冷房により車室内の空気が冷却された状態で、車両のドアがドア開口部を開閉し、車室外の高温度、高湿度の外気が車両のドア開口部から車室内に入り込み、埃センサに結露が生じる可能性があるような状況で、埃センサに発生した結露が解消されるまでの結露解消時間を特定することができる。
【０１２７】
また、第５の観点によれば、本埃濃度検出装置は、車両の室外の絶対温度を特定する外気絶対温度特定部と、車両の室内の飽和水蒸気量を特定する飽和水蒸気量特定部と、を備えている。そして、結露量推定部は、外気絶対温度特定部により特定された車両の室外の絶対温度と飽和水蒸気量特定部により特定された車両の室内の飽和水蒸気量に基づいて埃センサに発生した結露量を推定する。
【０１２８】
このように、車両の室外の絶対温度と車両の室内の飽和水蒸気量を特定し、車両の室外の絶対温度と車両の室内の飽和水蒸気量に基づいて埃センサに発生した結露量を推定することで、結露解消時間を精度良く特定することができる。
【０１２９】
また、第６の観点によれば、本埃濃度検出装置は、通風路への吸気モードが車両の室内の内気を導入する内気モードであるか否かを判定する内気モード判定部を備えている。そして、結露判定部は、モード判定部により吸気モードが内気モードであると判定された場合、埃センサに結露が発生したか否かを判定する。
【０１３０】
このように、吸気モードが内気モードであると判定された場合、埃センサに結露が発生したか否かを判定することができる。
【０１３１】
また、第７の観点によれば、本埃濃度検出装置は、埃センサの温度を特定するセンサ温度特定部と、車両の室内の温度を特定する内気温度特定部と、車両の室内の湿度を特定する室内湿度特定部と、を備えている。そして、結露量推定部は、モード判定部により吸気モードが内気モードであると判定された場合、内気温度特定部により特定された車両の室内の温度と室内湿度特定部により特定された車両の室内の湿度に基づいて車室内の絶対湿度を特定するとともに、センサ温度特定部により特定された埃センサの温度に基づいて埃センサの飽和水蒸気量を特定し、車室内の絶対湿度と埃センサの飽和水蒸気量に基づいて埃センサに発生した結露量を推定する。
【０１３２】
このように、吸気モードが内気モードであると判定された場合には、車両の室内の温度と車両の室内の湿度に基づいて車室内の絶対湿度を特定するとともに、センサ温度特定部により特定された埃センサの温度に基づいて埃センサの飽和水蒸気量を特定し、車室内の絶対湿度と埃センサの飽和水蒸気量に基づいて埃センサに発生した結露量を推定することで、結露解消時間を精度良く特定することができる。
【０１３３】
また、第８の観点によれば、本埃濃度検出装置は、通風路への吸気モードが車両の室外の外気を導入する外気モードであるか否かを判定する外気モード判定部を備えている。そして、結露判定部は、モード判定部により吸気モードが外気モードであると判定された場合、埃センサに結露が発生したか否かを判定する。
【０１３４】
このように、吸気モードが外気モードであると判定された場合、埃センサに結露が発生したか否かを判定することができる。
【０１３５】
また、第９の観点によれば、本埃濃度検出装置は、埃センサの温度を特定するセンサ温度特定部と、車両の室外の温度を特定する外気温度特定部と、車両の室外の湿度を特定する室外湿度特定部と、を備えている。そして、結露量推定部は、モード判定部により吸気モードが外気モードであると判定された場合、外気温度特定部により特定された車両の室外の温度と室外湿度特定部により特定された車両の室外の湿度に基づいて車室外の絶対湿度を特定するとともに、センサ温度特定部により特定された埃センサの温度に基づいて埃センサの飽和水蒸気量を特定し、車室外の絶対湿度と埃センサの飽和水蒸気量に基づいて埃センサに発生した結露量を推定する。
【０１３６】
このように、吸気モードが外気モードであると判定された場合には、車両の室外の温度と車両の室外の湿度に基づいて車室外の絶対湿度を特定するとともに、センサ温度特定部により特定された埃センサの温度に基づいて埃センサの飽和水蒸気量を特定し、車室外の絶対湿度と埃センサの飽和水蒸気量に基づいて埃センサに発生した結露量を推定することで、結露解消時間を精度良く特定することができる。
【０１３７】
なお、上記実施形態における構成と特許請求の範囲の構成との対応関係について説明すると、Ｓ８０の処理が結露判定部に相当し、Ｓ１１０の処理が結露量推定部に相当し、Ｓ１３０の処理が結露解消時間特定部に相当する。また、Ｓ１２０の処理が風速推定部に相当し、Ｓ７０の処理がドア開閉判定部に相当し、Ｓ９０の処理が外気絶対温度特定部に相当し、Ｓ１００の処理が飽和水蒸気量特定部に相当し、Ｓ６２の処理が内気モード判定部に相当する。また、Ｓ１２の処理がセンサ温度特定部に相当し、Ｓ３０の処理が内気温度特定部に相当し、Ｓ４０の処理が室内湿度特定部に相当し、Ｓ６３の処理が外気モード判定部に相当し、Ｓ１０の処理が外気温度特定部に相当し、Ｓ２０の処理が室外湿度特定部に相当する。
【符号の説明】
【０１３８】
１      車両用空調装置
２１    空調ケース
２４    通風路
３２１  発光部
３２２  受光部
３２    埃センサ
４０    空調制御装置
５０    埃センサ制御部 
【図１】
2019043279.tif 000003
【図２】
2019043279.tif 000004
【図３】
2019043279.tif 000005
【図４】
2019043279.tif 000006
【図５】
2019043279.tif 000007
【図６】
2019043279.tif 000008
【図７】
2019043279.tif 000009
【図８】
2019043279.tif 000010
【図９】
2019043279.tif 000011
【図１０】
2019043279.tif 000012
【図１１】
2019043279.tif 000013
【図１２】
2019043279.tif 000014
【図１３】
2019043279.tif 000015